(57)【特許請求の範囲】
【請求項１】
前方に出力軸を突出させて前後方向に延びる円筒状とされた電動工具のハウジングに固定される電動工具用吊り下げ具であって、
前記ハウジングに係着状態で固定される係着部と、
該係着部から延設されて前記ハウジングの周面に沿って装着される一対の装着部材と、
少なくとも一方の前記装着部材に延設されて前記ハウジングから突出する引っ掛け部と、
前記一対の装着部材同士を連結するネジ部材と、
前記装着部材間に、前記ハウジングの外側を横切るように配置されて前記電動工具が前記装着部材間から脱落することを防止するストッパ部材と、
を有することを特徴とする電動工具用吊り下げ具。
【請求項２】
前記係着部を、前記ハウジングの前端部に前記係着状態で固定し、前記一対の装着部材を、前記係着部から後方へ延設して前記ハウジングの周面に沿って装着し、前記引っ掛け部が、前記少なくとも一方の装着部材の後端に延設されて前記ハウジングの後方から突出して、前記ネジ部材が、前記ハウジングの後端を横切って前記一対の装着部材同士を連結し、
前記装着部材間で、前記ストッパ部材が、前記ネジ部材と螺合して該ネジ部材と共に前記ハウジングの後端を横切ることを特徴とする請求項１に記載の電動工具用吊り下げ具。
【請求項３】
前記ストッパ部材を、内面に前記ネジ部材と螺合する雌ネジ部が形成されて前記一対の装着部材間の距離の半分以上の長さを有するスリーブ体としたことを特徴とする請求項２に記載の電動工具用吊り下げ具。
【請求項４】
前記雌ネジ部は、前記スリーブ体の軸方向における中央位置で部分的に形成されていることを特徴とする請求項３に記載の電動工具吊り下げ具。
【請求項５】
前方に出力軸を突出させて前後方向に延びる円筒状とされたハウジングを備えた電動工具であって、
前記ハウジングに、請求項１ないし４のいずれかに記載の電動工具用吊り下げ具を固定したことを特徴とする電動工具。
【発明の詳細な説明】
【技術分野】
【０００１】
この発明は、電動工具のハウジングに固定されて電動工具を吊り下げる電動工具用吊り下げ具及び該電動工具用吊り下げ具を固定した電動工具に関する。
【背景技術】
【０００２】
例えば特許文献１には、既存の電動工具に対して簡単に取り付け可能な電動工具用吊り下げ具が開示されている。特許文献１の電動工具用吊り下げ具は、略環形の引掛け部と、引掛け部から延びるように設けられる側部と、電動工具のハウジングに前記側部を着脱自在に固定する締め付けリングとを備えている。
【０００３】
特許文献１の電動工具用吊り下げ具は、ハウジングの先端側を下向きにした状態で、ハウジングの先端に引掛け部を引っ掛けると共に、締め付けリングによって側部がハウジングの横側にほぼ当接した状態で電動工具に取り付けられる。さらに作業者のベルトに取り付けたカラビナ等に、前記側部の後端部に設けた開口部を取り付けることで、ベルトに電動工具を吊り下げることができる。
【先行技術文献】
【特許文献】
【０００４】
【特許文献１】特許第４３２７１１５号明細書
【発明の概要】
【発明が解決しようとする課題】
【０００５】
しかしながら上記の電動工具用吊り下げ具では、締め付けリングをハウジングに締め付けるためのネジ部材が、偶発的に緩むことで電動工具用吊り下げ具から脱落した場合には、締め付けリングを電動工具のハウジングに固定できなくなる。その結果、電動工具が電動工具用吊り下げ具から落下することが懸念される。
【０００６】
この発明は、このような状況に鑑み提案されたものであって、電動工具吊り下げ具を電動工具のハウジングに固定するネジ部材が緩んだ場合であっても電動工具の落下を防止できる電動工具用吊り下げ具、該電動工具用吊り下げ具を固定した電動工具を提供することを目的とする。
【課題を解決するための手段】
【０００７】
請求項１の発明に係る電動工具用吊り下げ具は、前方に出力軸を突出させて前後方向に延びる円筒状とされた電動工具のハウジングに固定される電動工具用吊り下げ具であって、前記ハウジングに係着状態で固定される係着部と、該係着部から延設されて前記ハウジングの周面に沿って装着される一対の装着部材と、少なくとも一方の前記装着部材に延設されて前記ハウジングから突出する引っ掛け部と、前記一対の装着部材同士を連結するネジ部材と、前記装着部材間に、前記ハウジングの外側を横切るように配置されて前記電動工具が前記装着部材間から脱落することを防止するストッパ部材と、を有することを特徴とする。
請求項２の発明は、請求項１において、前記係着部を、前記ハウジングの前端部に前記係着状態で固定し、前記一対の装着部材を、前記係着部から後方へ延設して前記ハウジングの周面に沿って装着し、前記引っ掛け部が、前記少なくとも一方の装着部材の後端に延設されて前記ハウジングの後方から突出して、前記ネジ部材が、前記ハウジングの後端を横切って前記一対の装着部材同士を連結し、前記装着部材間で、前記ストッパ部材が、前記ネジ部材と螺合して該ネジ部材と共に前記ハウジングの後端を横切ることを特徴とする。
【０００８】
請求項３の発明は、請求項２において、前記ストッパ部材を、内面に前記ネジ部材と螺合する雌ネジ部が形成されて前記一対の装着部材間の距離の半分以上の長さを有するスリーブ体としたことを特徴とする。
【０００９】
請求項４の発明は、請求項３において、前記雌ネジ部は、前記スリーブ体の軸方向における中央位置で部分的に形成されていることを特徴とする。
【００１０】
請求項５の発明に係る電動工具は、前方に出力軸を突出させて前後方向に延びる円筒状とされたハウジングを備えた電動工具であって、前記ハウジングに、請求項１ないし４のいずれかに記載の電動工具用吊り下げ具を固定したことを特徴とする。
【発明の効果】
【００１１】
請求項１，２の発明に係る電動工具用吊り下げ具及び請求項５の発明に係る電動工具によれば、例えば作業者のベルトのカラビナ等に、電動工具用吊り下げ具の引っ掛け部を引っ掛けることで前記ベルトに電動工具を吊り下げた状態で、一対の装着部材同士を連結するネジ部材が偶発的に緩んだ場合でも、ネジ部材と螺合したストッパ部材によって、ネジ部材がハウジングの後端で一対の装着部材間を横切る状態が保たれて前記装着部材間から脱落することを防止できる。したがって、電動工具が電動工具用吊り下げ具から落下することを防止できる。
請求項３の発明によれば、ネジ部材に螺合したスリーブ体によって、一対の装着部材間の距離の半分以上を閉塞することが可能になる。したがって、スリーブ体により電動工具のハウジングが前記装着部材間から抜けることを効果的に防止できる。
請求項４の発明によれば、ネジ部材を、スリーブ体の内面で軸方向の中央位置で部分的に形成された雌ネジ部に螺合させるだけで、スリーブ体をネジ部材に固定することが可能になる。よって、雌ネジ部をスリーブ体の内面で軸方向の全長に形成した上でネジ部材と螺合させる場合に比べて、スリーブ体をネジ部材に固定する操作を簡略化できる。
【図面の簡単な説明】
【００１２】
【図１】本発明の実施形態のインパクトドライバ吊り下げ具を固定したインパクトドライバの斜視図である。
【図２】同インパクトドライバの側面図である。
【図３】同インパクトドライバの横断面図である。
【図４】同インパクトドライバの正面図である。
【図５】同インパクトドライバの背面図である。
【図６】同インパクトドライバ吊り下げ具のネジ部材が緩んだ状態を示すインパクトドライバの横断面図である。
【発明を実施するための形態】
【００１３】
本発明の実施形態を図１ないし図６を参照しつつ説明する。図１及び図２に示すようにインパクトドライバ１は、本体ハウジング１０とインパクトドライバ吊り下げ具２０とを備えている。なお、インパクトドライバ１は本発明の電動工具の一例である。
【００１４】
本体ハウジング１０は、樹脂製の左右の半割ハウジングを組み付けて形成されて、胴体部１１と、リアカバー１２と、ハンドル部１３と、バッテリーパック装着部１４とを有する。胴体部１１は、略円筒状に形成されてインパクトドライバ１の前後方向（図２の左右方向）に延設されている。この胴体部１１の内部にはモータＭ（図３参照。）が収容されている。リアカバー１２は胴体部１１の後端部に連設されている。このリアカバー１２は、胴体部１１側を開口させた筒状とされて胴体部１１にネジ止めされている。なお、本体ハウジング１０は本発明のハウジングの一例である。
【００１５】
ハンドル部１３は、インパクトドライバ１の側面視で略Ｔ字形状となるように胴体部１１から連設されている。ハンドル部１３の内部には、トリガ１５を有するスイッチ（図示せず。）が収容されている。バッテリーパック装着部１４は、ハンドル部１３の下端に設けられている。バッテリーパック装着部１４には、バッテリーパック１６が着脱可能に装着される。トリガ１５をハンドル部１３内に押し込むことでスイッチがオン状態になると、バッテリーパック１６はモータＭへ給電する。
【００１６】
図３に示すように胴体部１１の前方（図３の左方向）には、ハンマケース３０が組み付けられている。ハンマケース３０の内部には、打撃機構やアンビル３１が収容されている。アンビル３１はハンマケース３０の先端面から前方へ突出する。アンビル３１は、軸受によってハンマケース３０の内部で回転可能に軸支されている。アンビル３１の先端には、アンビル３１と同軸で先端工具やソケット（図示せず。）を装着可能なチャック３２が設けられている。打撃機構は、モータＭの回転を回転打撃力に変換して前記先端工具やソケットに伝達する。なお、アンビル３１は本発明の出力軸の一例である。
【００１７】
図１ないし図５に示すようにインパクトドライバ吊り下げ具２０は、係着部２１と、一対の装着部材２２、２３と、引っ掛け部２４と、ネジ部材２５と、スリーブ体２６とを備えている。なお、インパクトドライバ吊り下げ具２０は本発明の電動工具用吊り下げ具の一例である。
【００１８】
係着部２１は、インパクトドライバ吊り下げ具２０の先端側に対応する位置に配置されて円形のリング形状を有する。図３に示すように係着部２１は、ハンマケース３０の先端部と、ハンマケース３０の先端側を覆うバンパー４０とに係着状態で固定される。係着部２１は、アルミニウムの金属板を加工して形成されている。この係着部２１には、略Ｕ字状にされたソケット連結部２１Ａが前方へ突設されている。ソケット連結部２１Ａには、カラビナ等を用いて上記のソケットを回転可能な状態で連結できる。これにより、ソケットがチャック３２から落下することを防止する。
【００１９】
図２及び図４に示すように装着部材２２は、係着部２１の外周面の正面視左半分側から胴体部１１の後方へ胴体部１１の左側外面に沿って延設された長円形のループ状とされている。この装着部材２２は、胴体部１１の周面に沿って円弧状に湾曲した形状を有することで前記左側外面に装着可能とされている。装着部材２２の前方側は、長円形のループに対して上下方向に掛け渡された補強部材２２Ａによって補強されている。装着部材２２及び補強部材２２Ａは、アルミニウムの金属板を加工して形成されている。さらに図３に示すように装着部材２２の後端側（図３の右側）には透孔２２Ｂが形成されて、装着部材２２の外面に、透孔２２Ｂと同心でナット２２Ｃが溶接接合されている。
【００２０】
一方図１及び図４に示すように、装着部材２３は、係着部２１の外周面の正面視右半分側から胴体部１１の後方へ胴体部１１の右側外面に沿って延設された長円形のループ状とされている。この装着部材２３も、装着部材２２と同様の湾曲形状を有することで前記右側外面に装着可能とされている。装着部材２３の前方側も、装着部材２２と同様に補強部材２３Ａによって補強されている。装着部材２３及び補強部材２３Ａも、アルミニウムの金属板を加工して形成されている。加えて図３に示すように装着部材２３の後端側（図３の右側）に透孔２３Ｂを形成し、透孔２３Ｂを装着部材２２の透孔２２Ｂと対向配置した。
【００２１】
引っ掛け部２４は、アルミニウム製で図１に示すように装着部材２３の後端に延設されてリアカバー１２の後方に突出する。この引っ掛け部２４は、略半楕円形のリング形状を有する。後述するように引っ掛け部２４は、作業者の腰ベルトに取り付けられたカラビナ等に引っ掛けられる。なお、装着部材２３は本発明の一方の装着部材の一例である。
【００２２】
ネジ部材２５は、図１及び図３に示すように装着部材２２と装着部材２３とを連結するために用いられる。ネジ部材２５の軸部の外面には雄ネジ部２５Ａが形成されている。スリーブ体２６は、金属製で図１、３、５に示すようにネジ部材２５と螺合させて用いられる。図３に示すようにスリーブ体２６の内面には雌ネジ部２６Ａが形成されている。この雌ネジ部２６Ａは、スリーブ体２６の軸方向（図３の上下方向）における中央位置Ｐで部分的に形成されている。
【００２３】
ネジ部材２５を装着部材２３の透孔２３Ｂに挿入し、ネジ部材２５の雄ネジ部２５Ａをスリーブ体２６内に差し込み雌ネジ部２６Ａに螺合させて、スリーブ体２６を、雄ネジ部２５Ａの基部側に当たる頭部２５Ｂ側へ回転操作する。この回転操作によって、スリーブ体２６を、端部が装着部材２３に当接しない位置までネジ送りする。その後スリーブ体２６が外装されていない雄ネジ部２５Ａの先端側を、ナット２２Ｃの雌ネジ部に螺合させる。続いてスリーブ体２６を、端部が装着部材２３に当接するまでネジ送りする。その結果図３に示すようにネジ部材２５は、装着部材２２と装着部材２３とを連結して、装着部材２２、２３間でリアカバー１２の後端を横切るように配置される。これに加えてスリーブ体２６も、ネジ部材２５と共に装着部材２２、２３間でリアカバー１２の後端を横切るように配置される。本実施形態では、スリーブ体２６の軸方向の長さＬ１は、非連結状態の一対の装着部材２２、２３間の距離Ｌ２（図６参照。）の半分以上の長さに設定した。なお、スリーブ体２６は本発明のストッパ部材の一例である。
【００２４】
次に本実施形態のインパクトドライバ吊り下げ具２０によってインパクトドライバ１の落下を防止する例を説明する。インパクトドライバ吊り下げ具２０は以下のようにしてインパクトドライバ１に固定される。作業者は、一対の装着部材２２、２３間に胴体部１１及びリアカバー１２を挿入した後に、ハンマケース３０の先端部及びバンパー４０を係着部２１に係着させる。その後作業者は、装着部材２２、２３をそれぞれ胴体部１１の外面に装着し、スリーブ体２６を螺合させたネジ部材２５とナット２２Ｃとを用いて両装着部材２２、２３を連結する。その結果、インパクトドライバ吊り下げ具２０はインパクトドライバ１に固定される。作業者が引っ掛け部２４のリング形状部を腰ベルトのカラビナに引っ掛けると、インパクトドライバ１を腰ベルトに吊り下げることができる。
【００２５】
インパクトドライバ１を腰ベルトに吊り下げた状態で、図６に示すように偶発的にネジ部材２５がナット２２Ｃに対して緩んだ場合でも、以下のようにしてインパクトドライバ１がインパクトドライバ吊り下げ具２０から落下することを防止できる。ネジ部材２５が緩むことで両装着部材２２、２３の連結状態が解除された場合でも、ネジ部材２５に外装されたスリーブ体２６が、装着部材２２、２３間で装着部材２３の内面に当接する状態は維持される。その結果、ネジ部材２５が装着部材２３の透孔２３Ｂから抜ける方向へ移動することが規制される。これに伴ってスリーブ体２６は、非連結状態の装着部材２２、２３間でリアカバー１２の後端を横切る状態が保たれる。本実施形態では、スリーブ体２６の長さＬ１を非連結状態の装着部材２２、２３間の距離Ｌ２の半分以上の長さに設定したことから、ネジ部材２５に外装されたスリーブ体２６が、距離Ｌ２の半分以上を閉塞する。よって、胴体部１１及びリアカバー１２が非連結状態の装着部材２２、２３間から抜けることが防止される。
【００２６】
＜本実施形態の効果＞
本実施形態のインパクトドライバ吊り下げ具２０及び該インパクトドライバ吊り下げ具２０を固定したインパクトドライバ１では、インパクトドライバ１を作業者の腰ベルトに吊り下げた状態で偶発的にネジ部材２５がナット２２Ｃに対して緩んだ場合でも、ネジ部材２５と螺合したスリーブ体２６が、リアカバー１２の後端で両装着部材２２、２３間を横切る状態が保たれて両装着部材２２、２３間から脱落することを防止できる。したがって、インパクトドライバ１がインパクトドライバ吊り下げ具２０から落下することを防止できる。
【００２７】
また、スリーブ体２６の長さＬ１を非連結状態の装着部材２２、２３間の距離Ｌ２の半分以上の長さに設定したことから、ネジ部材２５に螺合したスリーブ体２６によって、距離Ｌ２の半分以上を閉塞することが可能になる。したがって、スリーブ体２６により、インパクトドライバ１の胴体部１１やリアハウジング１２が非連結状態の装着部材２２、２３間から抜けることを効果的に防止できる。
【００２８】
さらに、ネジ部材２５を、スリーブ体２６の内面で軸方向における中央位置Ｐで部分的に形成された雌ネジ部２６Ａに螺合させるだけで、スリーブ体２６をネジ部材２５に固定することが可能になる。よって、雌ネジ部をスリーブ体２６の内面で軸方向の全長に形成した上でネジ部材２５と螺合させる場合に比べて、スリーブ体２６をネジ部材２５に固定する操作を簡略化できる。
【００２９】
本発明は、上述した実施形態に限定されるものではなく、発明の趣旨を逸脱しない範囲内において構成の一部を適宜変更して実施できる。例えば上述した実施形態とは異なり、装着部材２３の内面に、装着部材２３の透孔２３Ｂと同心でスリーブ体を溶接接合することで、スリーブ体を両装着部材２２、２３間に配置してもよい。この場合にもネジ部材２５に螺合させたスリーブ体が、ナット２２Ｃに対して緩んだネジ部材２５を非連結状態の装着部材２２、２３間でリアカバー１２の後端を横切る状態に保つことが可能になる。
【００３０】
また上述した実施形態とは異なり、ナット２２Ｃを装着部材２２とは別体としてネジ部材２５と螺合させてもよい。さらに上述した実施形態とは異なり、スリーブ体２６の雌ネジ部は軸方向の全長に形成したものであってもよい。加えてスリーブ体は、円筒状のものに限らず、内面に雌ネジ部が形成されて断面が多角形の筒状体等であってもよい。さらに加えて上述した充電式のインパクトドライバ１に限らず、例えば充電式のハンマドリルや交流駆動式のインパクトドライバ等の電動工具に本発明を適用してもよい。
【符号の説明】
【００３１】
１・・インパクトドライバ、１０・・本体ハウジング、１２・・リアカバー、２０・・インパクトドライバ吊り下げ具、２１・・係着部、２２、２３・・装着部材、２４・・引っ掛け部、２５・・ネジ部材、２６・・スリーブ体、２６Ａ・・スリーブ体の雌ネジ部、３１・・アンビル、Ｌ１・・スリーブ体の長さ、Ｌ２・・装着部材２２、２３間の距離、Ｐ・・スリーブ体の軸方向における中央位置。
【図１】
0005690647.tif 000002
【図２】
0005690647.tif 000003
【図３】
0005690647.tif 000004
【図４】
0005690647.tif 000005
【図５】
0005690647.tif 000006
【図６】
0005690647.tif 000007